(57)【要約】【課題】  伝送線上に接続可能な機器の台数が調光装置のソフトウェアによって制限されない調光用連動選択器、及びそれを用いた調光システムを提供する。【解決手段】  調光用連動選択器１において連動動作が選択された場合、制御手段１３は伝送線Ｌを介して伝送手段１１，１１が受信する信号を監視する。そして、一方の伝送線Ｌ上の調光装置からシーン再生信号が送信され、一方の伝送手段１１がこのシーン再生信号を受信すると、制御手段１３は受信したシーン再生信号に自器のアドレスを付加し、自器のアドレスを付加したシーン再生信号を中継して、他方の伝送手段１１から伝送線Ｌへ送信する。また制御手段１３は、伝送手段１１が受信したシーン再生信号に自器のアドレスが付加されておれば、シーン再生信号の中継、送信は行わない。非連動動作が選択された場合は、受信する全ての信号の中継、送信を行わず、各調光装置を単独で動作させる。【選択図】図１
2005174881.tif 000002
【特許請求の範囲】
【請求項１】
照明器具の調光を制御する複数の調光装置間を接続する伝送線に介挿されており、各調光装置の動作を連動させる連動動作と各調光装置を単独で動作させる非連動動作とのいずれかを選択する動作選択手段と、自器のアドレスを設定するアドレス設定手段と、連動動作選択時にいずれかの調光装置から受信した信号を中継して各調光装置へ送信する伝送手段と、連動動作選択時に前記伝送手段が各調光装置に送信する信号に自器のアドレスを付加するアドレス付加手段と、連動動作選択時に受信した信号に自器のアドレスが付加されているか否かを判別して、受信した信号に自器のアドレスが付加されている場合には受信した信号の各調光装置への送信を停止させる伝送制御手段とを備えることを特徴とする調光用連動選択器。
【請求項２】
請求項１記載の複数の調光用連動選択器と、複数の調光装置とを備えて、各調光用連動選択器と各調光装置とを互いに伝送線で接続し、調光装置の連動動作あるいは非連動動作を行うことを特徴とする調光システム。
【発明の詳細な説明】
【技術分野】
【０００１】
本発明は、伝送線を介して接続された複数の調光装置を用いて宴会場、会議場、ホール等の空間を調光制御する際に各調光装置の連動動作と非連動動作とを切り換える調光用連動選択器、及びそれを用いた調光システムに関するものである。
【背景技術】
【０００２】
図６は従来の調光用連動選択器（以後、連動選択器と称する）９を用いた調光システムの構成を示しており、連動選択器９と、調光装置８ａ，８ｂと、外部操作装置３とが同一の伝送線Ｌ上に接続されており、調光装置８ａ，８ｂには照明器具４ａ，４ｂが各々接続されている。そして連動選択器９は、調光装置８ａ，８ｂを連動して動作させる連動動作と、調光装置８ａ，８ｂを単独で動作させる非連動動作とのいずれかを選択可能な動作選択手段を備えており、連動動作選択時には連動信号を伝送線Ｌに出力し、非連動動作選択時には非連動信号を伝送線Ｌに出力する。
【０００３】
調光装置８ａ，８ｂは、接続された照明器具４ａ，４ｂの調光を制御するもので、伝送線Ｌを介して受信する連動信号及び非連動信号によって連動選択器９の選択状態を監視しており、連動選択器の選択状態によって調光装置８ａ，８ｂの動作を連動動作あるいは非連動動作に切り換える。具体的には、連動選択器９で連動動作が選択されて調光装置８ａ，８ｂが連動信号を受信したとき、外部操作装置３からの指示あるいは自装置に設けた操作部からの指示を受けた調光装置８ａは照明器具４ａの調光制御を行うとともに、所望のシーンの調光度に再生させるシーン再生信号を調光装置８ｂに伝送線Ｌを介して直接送信する。調光装置８ｂは受信したシーン再生信号に基づいて照明器具８ｂを所定の調光度に再生し、所定の調光度への再生が完了すると、調光装置８ａに伝送線Ｌを介して完了信号を直接送信して、調光再生を完了したことを伝える。連動選択器９で非連動動作が選択されて調光装置８ａ，８ｂが非連動信号を受信したときは、調光装置８ａ，８ｂは、各々単独に照明器具４ａ，４ｂの調光制御を行う。
【０００４】
また調光装置８ａ，８ｂ、及び連動選択器９は自器のアドレスを設定するアドレス設定手段を備えており、個々に別々のアドレスを割り当てている。そして、上記連動動作は、調光装置８ａ，８ｂに各々格納されたソフトウェアによって実現され、その動作は設定された各アドレスによって管理される。
【０００５】
また、上記のような伝送線を用いた信号の伝送方法には、信号を受信したときに受信確認信号の返信を許容するか、禁止するかを各機器毎に設定することで、通信トラフィックを軽減させる方法がある。（例えば、特許文献１参照）
【特許文献１】特開平１０−１３６０５１号公報（段落番号［００３２］、［００３３］、［００４０］、図１、図４）
【発明の開示】
【発明が解決しようとする課題】
【０００６】
しかしながら、上記従来の連動選択器９では以下のような問題点があった。連動選択器９からの連動信号・非連動信号に応じて連動動作あるいは非連動動作を行う機能を調光装置８ａ，８ｂで実現するには、調光装置８ａ，８ｂ内に連動・非連動の各動作を管理するソフトウェアが必要となる。そして、そのソフトウェアで各機器のアドレス管理を行うため、伝送線Ｌ上に接続できる機器の台数は調光装置８ａ，８ｂ内のソフトウェアによって制限されていた。
【０００７】
本発明は、上記事由に鑑みてなされたものであり、その目的は、伝送線上に接続可能な機器の台数が調光装置のソフトウェアによって制限されない調光用連動選択器、及びそれを用いた調光システムを提供することにある。
【課題を解決するための手段】
【０００８】
請求項１の発明は、照明器具の調光を制御する複数の調光装置間を接続する伝送線に介挿されており、各調光装置の動作を連動させる連動動作と各調光装置を単独で動作させる非連動動作とのいずれかを選択する動作選択手段と、自器のアドレスを設定するアドレス設定手段と、連動動作選択時にいずれかの調光装置から受信した信号を中継して各調光装置へ送信する伝送手段と、連動動作選択時に前記伝送手段が各調光装置に送信する信号に自器のアドレスを付加するアドレス付加手段と、連動動作選択時に受信した信号に自器のアドレスが付加されているか否かを判別して、受信した信号に自器のアドレスが付加されている場合には受信した信号の各調光装置への送信を停止させる伝送制御手段とを備えることを特徴とする。
【０００９】
この発明によれば、調光装置のソフトウェアによるアドレス設定管理の制限を受けることなく、伝送線上に複数の機器を接続して、各調光装置の連動動作・非連動動作を選択できる。さらに、調光装置へ無駄な信号を送信することを防止できる。
【００１０】
請求項２の発明は、請求項１記載の複数の調光用連動選択器と、複数の調光装置とを備えて、各調光用連動選択器と各調光装置とを互いに伝送線で接続し、調光装置の連動動作あるいは非連動動作を行うことを特徴とする。
【００１１】
この発明によれば、調光装置のソフトウェアによるアドレス設定管理の制限を受けることなく、伝送線上に複数の機器を接続して、各調光装置の連動動作・非連動動作を選択できる。さらに、調光用連動選択器から調光装置へ無駄な信号を送信することを防止できる。
【発明の効果】
【００１２】
以上説明したように、本発明では、連動選択器が、伝送線上の他の機器と信号のやり取りを行い、且つ中継する信号へのアドレスの付加、及び解析を行うので、調光装置のソフトウェアによるアドレス設定管理の制限を受けることなく、伝送線上に複数の機器を接続して、各調光装置の連動動作・非連動動作を選択できるという効果がある。
【発明を実施するための最良の形態】
【００１３】
以下、本発明の実施の形態を図面に基づいて説明する。
【００１４】
（実施形態１）
図２は本実施形態の調光用連動選択器（以後、連動選択器と称する）を用いた調光システムの構成を示しており、２台の連動選択器１ａ，１ｂを備えて、連動選択器１ａには２系統の伝送線Ｌａ，Ｌｂが接続され、連動選択器１ｂには２系統の伝送線Ｌｂ，Ｌｃが接続されている。すなわち、連動選択器１ａは伝送線Ｌａ，Ｌｂ間に介挿され、連動選択器１ｂは伝送線Ｌｂ，Ｌｃ間に介挿されている。そして、伝送線Ｌａ上には調光装置２ａと外部操作装置３とが接続され、伝送線Ｌｂ上には調光装置２ｂが接続され、伝送線Ｌｃ上には調光装置２ｃが接続されて、調光装置２ａ，２ｂ，２ｃには照明器具４ａ，４ｂ，４ｃが各々接続されている。
【００１５】
そして連動選択器１（連動選択器１ａ，１ｂと同一の構成を備える）は図１にブロック構成を示すように、動作選択手段１０と、２つの伝送手段１１，１１と、アドレス設定手段１２と、制御手段１３（アドレス付加手段及び伝送制御手段に相当する）とを備える。動作選択手段１０は、スイッチ、あるいは押しボタン、あるいはタッチパネル等で構成され、自器に接続された２系統の伝送線Ｌ上の各調光装置を連動して動作させる連動動作と、自器に接続された２系統の伝送線Ｌ上の各調光装置を単独で動作させる非連動動作とのいずれかを選択可能な機能を有する。伝送手段１１，１１は、シリアル通信用のＩＣ及びドライバーＩＣ等で構成され、自器に接続された２系統の伝送線Ｌを介した調光装置等の機器との間で信号の送受信を行う。アドレス設定手段１２は、ディップスイッチ等で構成され、自器のアドレスを設定する。このアドレスは連動選択器毎に異なるアドレスが割り当てられる。制御手段１３は、ＭＰＵ等で構成され、制御手段１３内に格納されたソフトウェアに基づいて動作選択手段１０、伝送手段１１，１１、アドレス設定手段１２の各動作を制御している。
【００１６】
図３（ａ），（ｂ）は連動選択器１の正面図及び側面図、図４は連動選択器１の裏面図を示す。連動選択器１の本体１６は略函型に形成され、本体１６の正面側には、動作選択手段１０として、連動動作を選択するスイッチ１０ａと非連動動作を選択するスイッチ１０ｂとを設けており、スイッチ１０ａ，１０ｂは本体１６の正面側に取り付けた略矩形のプレート１４の正面側略中央から露出している。また、本体１６の裏面には２系統の伝送線Ｌを接続する２組の端子台１５，１５を設けており、端子台１５，１５は伝送手段１１，１１を介して制御手段１３に各々接続されている。さらに、ディップスイッチで構成されたアドレス設定手段１２は、本体１６の正面側に配置され、プレート１４を外すと正面側に露出する（図３（ａ）参照）。あるいはアドレス設定手段１２は本体１６の側面に配置してもよい（図３（ｂ）参照）。
【００１７】
次に連動選択器１の制御手段１３に格納されたソフトウェアによる動作について説明する。まず連動選択器１の制御手段１３は入力手段１０のスイッチ１０ａ，１０ｂの状態を監視している。そして、スイッチ１０ａが操作されて連動動作が選択された場合、制御手段１３は伝送線Ｌを介して伝送手段１１，１１が受信する信号を監視する。そして、一方の伝送線Ｌ上の調光装置から他の調光装置へ動作指示を与える指示信号が送信されて、連動選択器１の一方の伝送手段１１がこの指示信号を受信すると、制御手段１３はアドレス付加手段として動作して、アドレス設定手段１２で予め設定した自器のアドレスを受信した指示信号に付加し、自器のアドレスを付加した指示信号を中継して、他方の伝送手段１１から他方の伝送線Ｌ上の調光装置へ送信する。また制御手段１３は、指示信号を受信した際に伝送制御手段としても動作して、伝送手段１１が受信した指示信号に付加されているアドレスを解析し、自器のアドレスが付加されておれば自器が送信した指示信号であると判断して、その指示信号の中継、送信は行わない。連動選択器１のボタン１０ｂが操作されて非連動動作が選択された場合は、制御手段１３は伝送線Ｌを介して伝送手段１１，１１が受信する全ての信号の中継、送信を行わず、各調光装置を単独で動作させる。なお、指示信号は、調光度を調整させる調整信号、現在の調光度を記憶させる記憶信号、所望のシーンの調光度に再生させるシーン再生信号等である。
【００１８】
例えば図２に示す通信システムにおいて、連動選択器１ａが連動動作を選択している場合に、外部操作装置３からの指示あるいは自装置に設けた操作部からの指示を受けた調光装置２ａから伝送線Ｌａを介してシーン再生信号が送信されると、連動選択器１ａでは、伝送手段１１が調光装置２ａから伝送線Ｌａを介して受信したシーン再生信号のアドレスを制御手段１３が解析する。この場合、受信したシーン再生信号にはアドレスが付加されていないので、連動選択器１ａの制御手段１３は、受信したシーン再生信号にアドレス設定手段１２で予め設定した連動選択器１ａのアドレスを付加し、連動選択器１ａのアドレスを付加したシーン再生信号を中継して、伝送手段１１から調光装置２ｂへ伝送線Ｌｂを介して送信する。
【００１９】
連動選択器１ａのアドレスを付加したシーン再生信号を受信した調光装置２ｂは、照明器具４ｂを所定の調光度に再生するとともに連動選択器１ａのアドレスを付加したシーン再生信号を連動選択器１ａ，１ｂに伝送線Ｌｂを介して送信する。
【００２０】
調光装置２ｂから連動選択器１ａのアドレスを付加したシーン再生信号を受信した連動選択器１ｂでは、連動動作を選択している場合、伝送手段１１が受信したシーン再生信号のアドレスを制御手段１３が解析する。この場合、受信したシーン再生信号には連動選択器１ｂとは異なる連動選択器１ａのアドレスが付加されているので、連動選択器１ｂの制御手段１３は、受信したシーン再生信号に連動選択器１ｂのアドレスを付加し、連動選択器１ｂのアドレスを付加したシーン再生信号を中継して、伝送手段１１から調光装置２ｃへ伝送線Ｌｃを介して送信する。連動選択器１ｂのアドレスを付加したシーン再生信号を受信した調光装置２ｃは照明器具４ｃを所定の調光度に再生させる。また連動選択器１ｂが非連動動作を選択している場合、連動選択器１ｂはシーン再生信号の中継、送信は行わず、調光装置２ｃを単独で動作させる。
【００２１】
一方、調光装置２ｂから連動選択器１ａのアドレスを付加したシーン再生信号を受信した連動選択器１ａでは、伝送手段１１が受信したシーン再生信号のアドレスを制御手段１３が解析する。この場合、受信したシーン再生信号には連動選択器１ａのアドレスが付加されているので、連動選択器１ａの制御手段１３は自器が送信した指示信号であると判断して、連動選択器１ａは調光装置２ａ及び外部操作装置３へのシーン再生信号の中継、送信は行わない。すなわち、連動選択器１ａから無駄な信号を送信することを防止している。
【００２２】
また調光装置２ｂは、照明器具４ｂを所定の調光度に再生させた後、調光装置２ａや外部操作装置３等の外部周辺機器に対して調光の再生が完了したことを伝える完了信号を伝送線Ｌｂを介して送信する。完了信号を受信した連動選択器１ａは、この完了信号を調光装置２ａ、外部周辺機器へ伝送線Ｌａを介して送信して、照明器具４ｂを所定の調光度に再生したことを伝える。照明器具４ｃも同様に完了信号を送信する。
【００２３】
このように連動選択器１が、伝送線Ｌ上の他の機器と信号のやり取りを行う伝送手段１１と、中継する信号へのアドレスの付加及び解析を行う制御手段１３とを備えており、調光装置のソフトウェアによるアドレス設定管理の制限を受けることなく、伝送線Ｌ上に複数の機器を接続して、各調光装置の連動動作・非連動動作を行うことができる。
【００２４】
（実施形態２）
図５は実施形態１と同様の４台の連動選択器１ａ〜１ｄを用いた調光システムの構成を示しており、連動選択器１ａには２系統の伝送線Ｌａ，Ｌｂが接続され、連動選択器１ｂには２系統の伝送線Ｌｂ，Ｌｃが接続され、連動選択器１ｃには２系統の伝送線Ｌｂ，Ｌｄが接続され、連動選択器１ｄには２系統の伝送線Ｌｄ，Ｌｅが接続されている。すなわち、連動選択器１ａは伝送線Ｌａ，Ｌｂ間に介挿され、連動選択器１ｂは伝送線Ｌｂ，Ｌｃ間に介挿され、連動選択器１ｃは伝送線Ｌｂ，Ｌｄ間に介挿され、連動選択器１ｄは伝送線Ｌｄ，Ｌｅ間に介挿されている。そして、伝送線Ｌａ上には調光装置２ａが接続され、伝送線Ｌｂ上には調光装置２ｂが接続され、伝送線Ｌｃ上には調光装置２ｃが接続され、伝送線Ｌｄ上には調光装置２ｄが接続され、伝送線Ｌｅ上には調光装置２ｅが接続されて、調光装置２ａ〜２ｅには照明器具４ａ〜４ｅが各々接続されている。
【００２５】
本実施形態では、調光装置２ｂに３台の連動選択器１ａ，１ｂ，１ｃを接続しており、連動選択器１ａ〜１ｄでは全て連動動作が選択されている場合について説明する。まず、連動動作の指示を受けた調光装置２ａから伝送線Ｌａを介してシーン再生信号が送信されると、連動選択器１ａは、伝送線Ｌａを介して受信したシーン再生信号のアドレスを解析し、この場合、受信したシーン再生信号にはアドレスが付加されていないので、受信したシーン再生信号に予め設定した連動選択器１ａのアドレスを付加し、連動選択器１ａのアドレスを付加したシーン再生信号を調光装置２ｂへ伝送線Ｌｂを介して送信する。
【００２６】
連動選択器１ａのアドレスを付加したシーン再生信号を受信した調光装置２ｂは、照明器具４ｂを所定の調光度に再生させるとともに連動選択器１ａのアドレスを付加したシーン再生信号を連動選択器１ａ，１ｂ，１ｃに伝送線Ｌｂを介して送信する。
【００２７】
調光装置２ｂから連動選択器１ａのアドレスを付加したシーン再生信号を受信した連動選択器１ｂは、伝送線Ｌｂを介して受信したシーン再生信号のアドレスを解析し、この場合、受信したシーン再生信号には連動選択器１ｂとは異なる連動選択器１ａのアドレスが付加されているので、連動選択器１ｂは、受信したシーン再生信号に連動選択器１ｂのアドレスを付加し、連動選択器１ｂのアドレスを付加したシーン再生信号を調光装置２ｃへ伝送線Ｌｃを介して送信し、調光装置２ｃは照明器具４ｃを所定の調光度に再生させる。
【００２８】
連動選択器１ｃも調光選択器１ｂと同様に、受信したシーン再生信号に連動選択器１ｃのアドレスを付加し、連動選択器１ｃのアドレスを付加したシーン再生信号を調光装置２ｄへ伝送線Ｌｄを介して送信し、調光装置２ｄは照明器具４ｄを所定の調光度に再生させる。
【００２９】
しかし、調光装置２ｂから連動選択器１ａのアドレスを付加したシーン再生信号を受信した連動選択器１ａでは、受信したシーン再生信号のアドレスを解析し、この場合、受信したシーン再生信号には連動選択器１ａのアドレスが付加されているので、連動選択器１ａは自器が送信した指示信号であると判断して、調光装置２ａへのシーン再生信号の中継、送信は行わない。すなわち、連動選択器１ａから無駄な信号を送信することを防止している。
【００３０】
さらに連動選択器１ｄは、調光装置２ｄから受信したシーン再生信号に連動選択器１ｄのアドレスを付加し、連動選択器１ｃのアドレスを付加したシーン再生信号を調光装置２ｅへ伝送線Ｌｅを介して送信し、調光装置２ｅは照明器具４ｅを所定の調光度に再生させる。
【００３１】
また調光装置２ａ〜２ｅは、照明器具４ａ〜４ｅを所定の調光度に各々再生させた後、他の調光装置や外部周辺機器に対して調光の再生が完了したことを伝える完了信号を伝送線Ｌａ〜Ｌｅを介して各々送信して、照明器具４ａ〜４ｅを所定の調光度に再生したことを伝える。
【００３２】
このように実施形態１と同様に、連動選択器１が、伝送線Ｌ上の他の機器と信号のやり取りを行い、且つ中継する信号へのアドレスの付加、及び解析を行うので、調光装置のソフトウェアによるアドレス設定管理の制限を受けることなく、伝送線Ｌ上に複数の機器を接続して、各調光装置の連動動作・非連動動作を行うことができる。
【図面の簡単な説明】
【００３３】
【図１】本発明の実施形態１の連動選択器のブロック構成を示す図である。
【図２】同上の調光システムの構成を示す図である。
【図３】同上の連動選択器の外形図であり、（ａ）は正面図、（ｂ）は側面図を示す。
【図４】同上の連動選択器の裏面を示す図である。
【図５】本発明の実施形態２の調光システムの構成を示す図である。
【図６】従来例の調光システムの構成を示す図である。
【符号の説明】
【００３４】
１  連動選択器
１０  動作選択手段
１１  伝送手段
１２  アドレス設定手段
１３  制御手段
Ｌ  伝送線
【図１】
2005174881.tif 000003
【図２】
2005174881.tif 000004
【図３】
2005174881.tif 000005
【図４】
2005174881.tif 000006
【図５】
2005174881.tif 000007
【図６】
2005174881.tif 000008